(57)【要約】【課題】リテーナの保持信頼性を向上させる。【解決手段】コネクタは、第１ハウジング１０と、第１ハウジング１０の後方に配置される基部４１を有する第２ハウジング４０と、基部４１と第１ハウジング１０との間に配置されて相互の対向面に沿って仮係止位置と本係止位置との間を移動可能なリテーナ６０とを備える。リテーナ６０は、前方に向けて突出して、先端側が第１ハウジング１０の前面側に臨む操作部６２を有する。第１ハウジング１０には、リテーナ６０の移動方向に係止受け部１８、１９が並んで形成され、操作部６２には、リテーナ６０が仮係止位置及び本係止位置にある場合に係止受け部１８、１９を弾性的に係止する係止部６６が形成されている。係止部６６と係止受け部１８、１９との係止方向がリテーナ６０と第１ハウジング１０との組み付け方向である前後方向と交差する方向に設定されている。【選択図】図１
2014089885.tif 000002
【特許請求の範囲】
【請求項１】
端子金具を挿入可能な第１ハウジングと、
前記第１ハウジングの後方に配置される基部を有する第２ハウジングと、
前記基部と前記第１ハウジングとの間に配置され、前記基部と前記第１ハウジングの相互の対向面に沿って仮係止位置と本係止位置との間を移動可能とされ、前記本係止位置に至るに伴い前記第１ハウジングに正規挿入された端子金具を抜け止め状態に係止可能なリテーナとを備えたコネクタであって、
前記リテーナは、前方に向けて突出して、先端側が前記第１ハウジングの前面側に臨む操作部を有し、前記第１ハウジングの前面側から前記操作部に付与される操作力によって前記リテーナが移動可能とされており、
前記第１ハウジングには、前記リテーナの移動方向に係止受け部が並んで形成され、前記操作部には、係止部が形成されており、前記係止部が前記係止受け部を弾性的に係止することにより、前記リテーナが前記仮係止位置及び前記本係止位置に留め置かれるものであり、且つ、
前記係止部と前記係止受け部との係止方向が、前記リテーナと前記第１ハウジングとの組み付け方向である前後方向と交差する方向に設定されていることを特徴とするコネクタ。
【請求項２】
前記第１ハウジングには、前記仮係止位置において前記操作部が進入する仮係止孔と、前記本係止位置において前記操作部が進入する本係止孔とが、前記リテーナの移動方向に連通して形成され、
前記操作部が前記本係止孔に正規に位置する場合には、嵌合相手となる相手ハウジングの突部が前記仮係止孔に進入して前記相手ハウジングとの嵌合動作が許容される一方、前記操作部が前記本係止孔に正規に位置しない場合には、前記突部が前記操作部の先端側と干渉して前記相手ハウジングとの嵌合動作が停止されることを特徴とする請求項１記載のコネクタ。
【請求項３】
前記操作部が前記本係止孔に正規に位置する場合には、前記相手ハウジングとの嵌合過程で、前記突部が前記仮係止孔の内面及び前記操作部の側面に摺動可能とされていることを特徴とする２記載のコネクタ。
【請求項４】
前記突部が前記相手ハウジングの複数箇所に離間して配置されていることを特徴とする請求項２又は３記載のコネクタ。
【請求項５】
前記操作部が前記リテーナの複数箇所に離間して配置されていることを特徴とする請求項１ないし４のいずれか１項記載のコネクタ。
【発明の詳細な説明】
【技術分野】
【０００１】
本発明は、コネクタに関する。
【背景技術】
【０００２】
特許文献１に開示されたコネクタは、端子金具が後方から挿入可能なキャビティを有するブロック状のハウジング本体と、ハウジング本体に対して仮係止位置と本係止位置との間を移動可能に組み付けられるリテーナと、ハウジング本体の周りを取り囲む嵌合筒部とを備えている。ハウジング本体と嵌合筒部との間には前方から相手ハウジングのフード部が嵌合可能とされている。また、リテーナは、キャビティと対応する位置に抜け止め部を有している。仮係止位置では、抜け止め部がキャビティから退避してキャビティ内への端子金具の挿入動作が許容され、本係止位置では、抜け止め部がキャビティ内に進入してキャビティ内に正規挿入された端子金具に後方から係止可能に配置される。よって、本係止位置では、端子金具が抜け止め部によってハウジング本体に抜け止め保持されるようになっている。
【先行技術文献】
【特許文献】
【０００３】
【特許文献１】特開２００１−１４３８０７号公報
【発明の概要】
【発明が解決しようとする課題】
【０００４】
ところで、上記の場合、ハウジング本体の周囲が嵌合筒部で覆われているため、ハウジング本体に対するリテーナの組み付け及び移動操作を側方から行おうとすると、嵌合筒部にリテーナの通し孔を開けねばならず、通し孔を通して内部に水が浸入する可能性があり、防水性が損なわれるおそれがあった。
【０００５】
これに鑑み、図１２に示すように、ハウジング本体を後側のハウジング部分１と前側のハウジング部分２とに分割し、両ハウジング部分１、２の間にリテーナ３の本体部分４を挟むように位置させれば、通し孔を開けずとも嵌合筒部内にリテーナ３を前方から組み付けることが可能となる。
【０００６】
また、リテーナ３の本体部分４から前方に操作部５を突成し、前側のハウジング部分２の前面側に操作部５の先端部を臨ませることにより、操作部５に前方から治具等をあてがってリテーナ３の移動操作を行うことも可能となる。
【０００７】
しかし、そのような構成とした場合に、例えば、図１３に示すように、リテーナ３の本体部分４の後面に凸部６を設け、後側のハウジング部分１の前面に一対の凹部７を設けて、凹部７及び凸部６の凹凸嵌合によってリテーナ３が仮係止位置及び本係止位置に留め置かれるようにすると、凹部７の深さ方向及び凸部６の突出方向がハウジング部分１、２と本体部分４の組み付け方向と一致してしまうため、凹部７及び凸部６の係止代がハウジング部分１、２と本体部分４との間に発生する組み付け誤差の隙間によって減少することがある。その結果、所定の係止代を得ることができず、リテーナ３の保持信頼性に欠けるおそれがある。
【０００８】
本発明は上記のような事情に基づいて完成されたものであって、リテーナの保持信頼性を向上させることを目的とする。
【課題を解決するための手段】
【０００９】
本発明のコネクタは、端子金具を挿入可能な第１ハウジングと、前記第１ハウジングの後方に配置される基部を有する第２ハウジングと、前記基部と前記第１ハウジングとの間に配置され、前記基部と前記第１ハウジングの相互の対向面に沿って仮係止位置と本係止位置との間を移動可能とされ、前記本係止位置に至るに伴い前記第１ハウジングに正規挿入された端子金具を抜け止め状態に係止可能なリテーナとを備えたコネクタであって、前記リテーナは、前方に向けて突出して、先端側が前記第１ハウジングの前面側に臨む操作部を有し、前記第１ハウジングの前面側から前記操作部に付与される操作力によって前記リテーナが移動可能とされており、前記第１ハウジングには、前記リテーナの移動方向に係止受け部が並んで形成され、前記操作部には、係止部が形成されており、前記係止部が前記係止受け部を弾性的に係止することにより、前記リテーナが前記仮係止位置及び前記本係止位置に留め置かれるものであり、且つ、前記係止部と前記係止受け部との係止方向が、前記リテーナと前記第１ハウジングとの組み付け方向である前後方向と交差する方向に設定されているところに特徴を有する。
【発明の効果】
【００１０】
本発明によれば、操作部に前方から操作力を付与することにより、リテーナを仮係止位置と本係止位置とに移動させることができる。また、第１ハウジングの係止受け部とリテーナの係止部との係止方向がリテーナと第１ハウジングとの組み付け方向である前後方向と交差する方向に設定されているため、仮に、第１ハウジングとリテーナとの間に前後方向の組み付け誤差が発生していても、係止受け部と係止部との係止代が減少することはなく、第１ハウジングに対するリテーナの保持信頼性が高められる。
【００１１】
さらに、係止部がリテーナの操作部に形成されているため、操作部に付与される操作力が係止受け部に対する係止部の係止状態を解除する力として効率良く利用され、解除操作性が良好となる。
【図面の簡単な説明】
【００１２】
【図１】本発明の実施例１のコネクタにおいて、リテーナが仮係止位置にある状態をあらわす正面図である。
【図２】リテーナが本係止位置にある状態をあらわす正面図である。
【図３】リテーナが本係止位置にある状態をあらわす断面図である。
【図４】リテーナが仮係止位置にある場合に、突部が操作部と干渉して、相手ハウジングの嵌合動作が停止された状態をあらわす断面図である。
【図５】リテーナが本係止位置にある場合に、突部が仮係止孔に進入して、相手ハウジングが正規嵌合された状態をあらわす断面図である。
【図６】第２ハウジングの斜視図である。
【図７】第２ハウジングにリテーナが組み付けられた状態をあらわす斜視図である。
【図８】第２ハウジングにリテーナ及び第１ハウジングが組み付けられた状態をあらわす斜視図である。
【図９】第１ハウジングの斜視図である。
【図１０】リテーナの斜視図である。
【図１１】リテーナの側面図である。
【図１２】参考例の断面図である。
【図１３】参考例の要部断面図である。
【発明を実施するための形態】
【００１３】
本発明の好ましい形態を以下に示す。
前記第１ハウジングには、前記仮係止位置において前記操作部が進入する仮係止孔と、前記本係止位置において前記操作部が進入する本係止孔とが、前記リテーナの移動方向に連通して形成され、前記操作部が前記本係止孔に正規に位置する場合には、嵌合相手となる相手ハウジングの突部が前記仮係止孔に進入して前記相手ハウジングとの嵌合動作が許容される一方、前記操作部が前記本係止孔に正規に位置しない場合には、前記突部が前記操作部の先端側と干渉して前記相手ハウジングとの嵌合動作が停止される。相手ハウジングとの嵌合動作が停止される場合には、リテーナが本係止位置に至っていないと判断することができるため、リテーナが本係止位置に至らない状態で放置される事態が回避される。また、リテーナが仮係止位置にある場合には仮係止孔に操作部が進入し、リテーナが本係止位置にある場合には仮係止孔に突部が進入し、突部又は操作部によって仮係止孔が兼用されるため、第１ハウジングの構成を簡素化することができる。
【００１４】
前記操作部が前記本係止孔に正規に位置する場合には、前記相手ハウジングとの嵌合過程で、前記突部が前記仮係止孔の内面及び前記操作部の側面に摺動可能とされている。これにより、突部がリテーナの位置を検知する機能に加えて相手ハウジングの嵌合動作を案内する機能を有することになるため、両機能が別々に形成されるよりも相手ハウジングの構成が簡素化される。
【００１５】
前記突部が前記相手ハウジングの複数箇所に離間して配置されている。こうすると、相手ハウジングとの嵌合動作が複数の突部によって円滑に案内される。
【００１６】
前記操作部が前記リテーナの複数箇所に離間して配置されている。こうすると、リテーナに前方から第１ハウジングを組み付ける際にその組み付け動作が複数の操作部によって円滑に案内される。
【００１７】
＜実施例１＞
本発明の実施例１を図１〜図１１によって説明する。本実施例のコネクタは、図５に示すように、互いに別体の、第１ハウジング１０、第２ハウジング４０及びリテーナ６０を備え、相手ハウジング９０に嵌合可能とされている。なお、以下の説明において前後方向については、コネクタと相手ハウジング９０の相互の嵌合面側を前方とする。
【００１８】
第２ハウジング４０は合成樹脂製であって、図３及び図６に示すように、幅方向に長い略角ブロック状の基部４１と、基部４１の外周面からいったん拡径したあと前方に突出する筒状の嵌合筒部４２とを有している。嵌合筒部４２の内部には前方からリテーナ６０及び第１ハウジング１０が順次挿入され、これによって基部４１の前方にリテーナ６０が配置され、リテーナ６０の前方に第１ハウジング１０が配置されるようになっている。また、嵌合筒部４２の内部には、相手ハウジング９０が嵌合可能とされている。そして、図１に示すように、嵌合筒部４２の上下両壁の外面には、図示しないレバーが装着可能なレバー装着部４３が形成されている。コネクタは、レバーの倍力機構によって相手ハウジング９０に抵操作力で嵌合され、且つその嵌合状態を保持可能とされている。
【００１９】
基部４１には、図３に示すように、複数の第２キャビティ４４が貫通して形成されている。基部４１の外周面の前端部は嵌合筒部４２の内側に位置し、ここにシールリング４５が嵌着されている。シールリング４５はゴム製であって、図５に示すように、嵌合時に相手ハウジング９０の後述するフード部９１と基部４１との間に弾性的に圧縮され、両コネクタ間のシールをとることが可能とされている。
【００２０】
また、図６に示すように、基部４１の前端の外周縁には、薄肉筒状の周壁４６が前方に突出して形成されている。リテーナ６０は、組み付け時に周壁４６の内側に収容されるようになっている。周壁４６の前端の上下両側には、幅方向に一対ずつの突板状のロック片４７が前方に突出して形成されている。各ロック片４７の先端部にはロック孔４８が開口して形成されている。各ロック片４７が第１ハウジング１０の後述するロック突起１３を弾性的に係止することにより、第１ハウジング１０がリテーナ６０を間に挟んで第２ハウジング４０に連結保持されるようになっている。
【００２１】
リテーナ６０は合成樹脂製であって、図１０に示すように、幅方向に長い矩形板状のリテーナ本体６１と、リテーナ本体６１の前面の幅方向両端側から前方に突出する一対の突板状の操作部６２とを有している。リテーナ本体６１は、組み付け時に第１ハウジング１０と第２ハウジング４０との間に挟まれるように配置される。そして、リテーナ６０は、図４から図５にかけて示すように、仮係止位置と本係止位置との間を幅方向に移動可能とされ、移動過程では、リテーナ本体６１が第２ハウジング４０の基部４１と第１ハウジング１０の両対向面に沿って摺動可能とされている。なお、図７に示すように、リテーナ本体６１は、常に周壁４６の内側に位置しており、両対向面から外側にはみ出ることはない。
【００２２】
リテーナ本体６１には、図３に示すように、組み付け時に各第２キャビティ４４と連通する位置に、複数の貫通孔６３が貫通して形成されている。各貫通孔６３の幅方向一側（本係止位置への移動方向後方）の孔縁には、抜け止め部６４が内側（後述する端子金具１００を係止する側）に突出して形成されている。
【００２３】
両操作部６２は、図１０に示すように、リテーナ本体６１の上部の幅方向両端側に配置されている。なお、リテーナ本体６１の上部の幅方向中央部には大型の各貫通孔６３が配置され、リテーナ本体６１の下部には小型の各貫通孔６３が配置されている。
【００２４】
そして、両操作部６２は、高さ方向に沿った断面略矩形をなし、図１に示すように、組み付け時に第１ハウジング１０の前面に露出する先端面６５を有している。
【００２５】
図１０に示すように、両操作部６２のうち幅方向一側の操作部６２には係止部６６が形成されている。係止部６６は、操作部６２の上面の幅方向中央部における先端寄りの位置からリテーナ本体６１に連結される基端位置にかけて前後方向に細長く延出する断面台形のリブ状の形態とされている。そして、係止部６６は、図１及び図２に示すように、仮係止位置及び本係止位置において第１ハウジング１０の後述する係止受け部１８、１９を弾性的に係止可能とされている。
【００２６】
第１ハウジング１０は合成樹脂製であって、図９に示すように、全体として幅方向に長い略角ブロック状の形態とされている。第１ハウジング１０は、組み付け時に各貫通孔６３と連通する位置に、複数の第１キャビティ１１が貫通して形成されている。このため、図４に示すように、第２ハウジング４０にリテーナ６０及び第１ハウジング１０が組み付けられると、第１キャビティ１１、貫通孔６３及び第２キャビティ４４が前後方向に同軸で連通するようになっている。そして、組み付け時には、電線１１０の端末部に接続された端子金具１００が第２キャビティ４４から貫通孔６３を経て第１キャビティ１１内に挿入されるようになっている。また、第１キャビティ１１内に端子金具１００が正規挿入されると、第２キャビティ４４内には電線１１０に嵌着されたゴム栓１２０が液密に挿入され、これによってコネクタ内のシールがとられるようになっている。
【００２７】
上記の場合に、リテーナ６０が仮係止位置にあると、図４に示すように、抜け止め部６４が貫通孔６３内における端子金具１００の挿通路から退避して配置され、これによって端子金具１００の第１キャビティ１１内への挿入動作が許容される。一方、リテーナ６０が本係止位置にあると、図５に示すように、抜け止め部６４が端子金具１００の挿通路に進入して配置される。このとき、端子金具１００が第１キャビティ１１に正規挿入されていると、抜け止め部６４が端子金具１００に後方から係止可能に配置され、これによって端子金具１００が第１キャビティ１１から抜け出るのが防止されるようになっている。
【００２８】
また、図９に示すように、第１ハウジング１０の上下両面には、幅方向に一対ずつのロック受け部１２が凹み形成されている。各ロック受け部１２は、前後方向に延びて第１ハウジング１０の前後両面に開口する断面略角Ｕ字形の溝状形態とされている。そして、各ロック受け部１２の底面には、幅方向に沿ったリブ状のロック突起１３が形成されている。第２ハウジング４０にリテーナ６０及び第１ハウジング１０が組み付けられると、各ロック片４７がリテーナ６０を跨いで各ロック受け部１２に略位置決め状態で嵌合され（図１及び図８を参照）、各ロック片４７のロック孔４８が各ロック突起１３に弾性的に嵌まり込むことにより、第１ハウジング１０がリテーナ６０を挟んだ状態で第２ハウジング４０に連結されるようになっている。
【００２９】
また、図９に示すように、第１ハウジング１０の上部の幅方向両端側には、一対の係止孔１４が貫通して形成されている。両係止孔１４は、第１ハウジング１０の上部における大型の各第１キャビティ１１を挟んだ幅方向両側で、且つ、第１ハウジング１０の下部の幅方向両端側における小型の各第１キャビティ１１の上方に位置し、組み付け時には両操作部６２と対応する位置に配置される。
【００３０】
図１に示すように、係止孔１４は、断面略正方形に開口する形態とされ、幅方向一側に位置する仮係止孔１５と、仮係止孔１５と連通して幅方向他側に位置する本係止孔１６とで構成されている。リテーナ６０の操作部６２は、図１に示すように、仮係止位置では仮係止孔１５に進入して配置され、図２に示すように、本係止位置では本係止孔１６に進入して配置される。また、仮係止孔１５と本係止孔１６との連通領域には、仮係止位置における操作部６２の幅方向他側縁部が進入して配置されるとともに、本係止位置における操作部６２の幅方向一側縁部が進入して配置されるようになっている。さらに、図１に示すように、仮係止位置における操作部６２の幅方向一側縁と仮係止孔１５の側縁との間には隙間１７が形成され、この隙間１７に図示しない操作用の治具が進入可能とされている。
【００３１】
また、図１に示すように、両係止孔１４のうち幅方向一側の係止孔１４の孔縁には、幅方向に一対の係止受け部１８、１９が並んで形成されている。具体的には両係止受け部１８、１９は、仮係止孔１５の上縁に凹み形成された仮係止受け部１８と、本係止孔１６の上縁に凹み形成された本係止受け部１９とからなる。仮係止受け部１８及び本係止受け部１９はいずれも係止部６６と対応する断面台形状、詳細には断面等脚台形状をなし、互いに同一形状とされている。また、係止孔１４の上縁における仮係止受け部１８と本係止受け部１９との間に区画される領域も、仮係止受け部１８及び本係止受け部１９のそれぞれと同一形状となる断面台形状をなしている。
【００３２】
リテーナ６０の係止部６６は、図１に示すように、仮係止位置では仮係止受け部１８に下方から弾性的に嵌まり込み、図２に示すように、本係止位置では本係止受け部１９に弾性的に下方から嵌まり込むようになっている。このため、リテーナ６０は、仮係止位置及び本係止位置において、係止部６６と係止受け部１８、１９との凹凸嵌合によって第１ハウジング１０にセミロック状態で保持されるようになっている。
【００３３】
相手ハウジング９０は合成樹脂製であって、筒状のフード部９１を有している。図４に示すように、フード部９１内には、複数の相手端子金具２００のタブ２０１が突出して配置されている。相手ハウジング９０がコネクタに正規嵌合されると、フード部９１が嵌合筒部４２と第１ハウジング１０との間に進入するようになっている。
【００３４】
また、図４に示すように、フード部９１の内側には、幅方向に一対の突部９２が形成されている。両突部９２は、フード部９１の奥壁から前方に突出する突板状の形態とされ、コネクタと正対した状態で両仮係止孔１５と対向する位置に配置される。そして、突部９２は、高さ方向に沿った断面略矩形状をなし、各タブ２０１の先端よりも前方に先端面９３を有している。
【００３５】
図５に示すように、リテーナ６０が本係止位置にあるときに、相手ハウジング９０がコネクタに嵌合されると、両操作部６２が両仮係止孔１５から退避することにより、両突部９２が両仮係止孔１５に前方から進入するようになっている。また、図４に示すように、リテーナ６０が仮係止位置にあるか、あるいは仮係止位置から本係止位置に至る途中にあるときに、相手ハウジング９０がコネクタに嵌合されると、両操作部６２が両仮係止孔１５側に残留することにより、両突部９２の先端面９３が両操作部６２の先端面６５に突き当たるようになっている。
【００３６】
次に、本実施例のコネクタの作用効果を説明する。
組み付けに際し、図６から図８にかけて示すように、第２ハウジング４０の嵌合筒部４２内に前方からリテーナ６０及び第１ハウジング１０が順次挿入される。これにより、第２ハウジング４０の基部４１と第１ハウジング１０との間にリテーナ６０が挟持して配置されるようになっている（図３を参照）。そして、第２ハウジング４０にリテーナ６０及び第１ハウジング１０が正規に組み付けられると、各ロック片４７が各ロック突起１３を弾性的に係止して、その組み付け状態が保持される。
【００３７】
また、係止部６６が仮係止孔１５に嵌合されることでリテーナ６０が仮係止位置に留め置かれ、これによって操作部６２の先端面６５が仮係止孔１５の前端に臨むように露出して配置される。その状態で、第１ハウジング１０の第１キャビティ１１内に後方から電線１１０付きの端子金具１００が挿入される。各第１キャビティ１１内に端子金具１００が正規挿入されたら、続いて、図１から図２にかけて示すように、リテーナ６０が本係止位置に移動させられる。この場合、仮係止孔１５の側縁と操作部６２との間の隙間１７に図示しない治具が進入して操作させられることにより、操作部６２が幅方向他側に押圧されて、リテーナ６０が本係止位置に至らしめられる。リテーナ６０が本係止位置に到達すると、操作部６２が本係止孔１６に正規位置に進入するとともに、係止部６６が本係止受け部１９に弾性的に嵌まり込み、且つ、抜け止め部６４が端子金具１００を係止可能に配置されて、端子金具１００の抜け止めがなされる。なお、本係止位置では、図３に示すように、操作部６２が本係止孔１６の側縁と前後方向に沿ってほぼ当接した状態となる。
【００３８】
続いて、コネクタが相手ハウジング９０に嵌合される。嵌合過程では、相手ハウジング９０の両突部９２が仮係止孔１５の内部（仮係止孔１５の孔縁及び操作部６２の幅方向一側縁）を摺動することにより、相手ハウジング９０の嵌合案内がなされる。そして、正規嵌合時には、図５に示すように、両端子金具１００、２００が正規深さで接続されるようになっている。
【００３９】
一方、リテーナ６０が本係止位置に至る途中で留め置かれていたり、あるいは、図４に示すように、リテーナ６０の本係止位置への移動操作自体がなされていない場合には、相手ハウジング９０の嵌合途中で両突部９２の先端面９３が両操作部６２の先端面６５に突き当たり、これによって相手ハウジング９０の嵌合動作が停止される。このため、相手ハウジング９０の嵌合動作が停止されることをもって、リテーナ６０が本係止位置に至っていないことを知ることができる。その場合は、改めてリテーナ６０を本係止位置に至らせ、再度、嵌合作業を行えばよい。
【００４０】
以上説明したように、本実施例によれば、係止部６６の突出方向及び係止受け部１８、１９の深さ方向がいずれも高さ方向（第１ハウジング１０、リテーナ６０及び第２ハウジング４０の組み付け方向となる前後方向とは交差する方向）に設定され、つまり、係止部６６と係止受け部１８、１９との係止方向が前後方向と交差する方向に設定されているため、仮に、第１ハウジング１０とリテーナ６０との間に前後方向の組み付け誤差が生じていても、係止部６６と係止受け部１８、１９との係止代が組み付け誤差の影響を受けることはない。その結果、第１ハウジング１０に対するリテーナ６０の保持信頼性が高められる。
【００４１】
また、係止部６６がリテーナ６０の操作部６２に形成されているため、リテーナ６０の移動時、操作部６２に付与される操作力が係止受け部１８、１９に対する係止部６６の係止状態を解除する力として直接的に利用され、解除操作性が良好となる。
【００４２】
また、操作部６２が本係止孔１６に正規に位置していない場合には、突部９２が操作部６２と干渉することにより、相手ハウジング９０との嵌合動作が停止されるため、リテーナ６０が本係止位置に至らない状態で放置される事態が回避される。また、リテーナ６０が仮係止位置にある場合には仮係止孔１５に操作部６２が進入し、リテーナ６０が本係止位置にある場合には仮係止孔１５に突部９２が進入し、突部９２と操作部６２とで仮係止孔１５が兼用されるようになっているため、第１ハウジング１０の構成を簡素化することができる。しかも、突部９２がリテーナ６０の位置を検知する機能に加えて相手ハウジング９０の嵌合動作を案内する機能をも有するため、両機能が別々に形成されるよりも相手ハウジング９０の構成が簡素化される。
【００４３】
＜他の実施例＞
本発明は上記記述及び図面によって説明した実施例に限定されるものではなく、例えば次のような態様も本発明の技術的範囲に含まれる。
（１）両操作部のいずれにも係止部が形成され、両係止孔のいずれの孔縁にも係止受け部が形成されるものであってもよい。
（２）係止部が操作部の下面に形成され、係止受け部が係止孔の下縁に形成されており、係止部が係止受け部に上方から嵌まり込むものであってもよい。
（３）係止部が操作部の上下両面に形成され、係止受け部が係止孔の上下両縁に形成されており、係止部が係止受け部に上下両方向から嵌まり込むものであってもよい。
（４）リテーナが仮係止位置と本係止位置との間を高さ方向に移動可能とされ、係止部と係止受け部とが幅方向に係止する構成であってもよい。
（５）上記実施例とは逆に、係止部が凹形状をなし、係止受け部が凸形状をなす構成であってもよい。
（６）係止受け部が係止部と同様の凸形状をなし、その凸形状部分を区画する谷間部分に係止部が係止する構成であってもよい。
（７）操作部は、リテーナに単数又は３つ以上設けられるものであってもよい。また、突部は、相手ハウジングに単数又は３つ以上設けられるものであってもよい。
【符号の説明】
【００４４】
１０…第１ハウジング
１４…係止孔
１５…仮係止孔
１６…本係止孔
１８…係止受け部（仮係止受け部）
１９…係止受け部（本係止受け部）
４０…第２ハウジング
４１…基部
４２…嵌合筒部
６０…リテーナ
６２…操作部
６６…係止部
９０…相手ハウジング
９２…突部
１００…端子金具
１１０…電線
１２０…ゴム栓
【図１】
2014089885.tif 000003
【図２】
2014089885.tif 000004
【図３】
2014089885.tif 000005
【図４】
2014089885.tif 000006
【図５】
2014089885.tif 000007
【図６】
2014089885.tif 000008
【図７】
2014089885.tif 000009
【図８】
2014089885.tif 000010
【図９】
2014089885.tif 000011
【図１０】
2014089885.tif 000012
【図１１】
2014089885.tif 000013
【図１２】
2014089885.tif 000014
【図１３】
2014089885.tif 000015